(57)【要約】【課題】  利用者の好みに合わせてカラオケ用楽曲を編集できるようにする。【解決手段】  楽曲編集機能付きカラオケ装置１は、利用者の入力操作を可能とする操作部２と、楽曲の音情報が記録される記録部３と、記録部３に記録された音情報を再生するための再生手段４とを有し、利用者が操作部２を用いて選択した楽曲である選択曲の音情報を、操作部２に対する利用者の操作に応じて加工して記録部３に記録し、当該加工された音情報を再生手段４により再生するようにしている。【選択図】        図１
2005208117.tif 000002
【特許請求の範囲】
【請求項１】
利用者の入力操作を可能とする操作部と、楽曲の音情報または当該音情報に対応する音対応情報が記録される記録部と、利用者が前記操作部を用いて選択した楽曲である選択曲についての前記音情報または前記音対応情報を編集して前記記録部に記録する楽曲編集手段と、前記記録部に記録された前記音情報を音として再生する又は前記記録部に記録された前記音対応情報を前記音情報に変換して当該音情報を音として再生する再生手段とを有することを特徴とする楽曲編集機能付きカラオケ装置。
【請求項２】
映像情報を出力する映像出力部をさらに有し、前記楽曲編集手段は、前記選択曲の再生部分の指定用画面の情報を前記映像出力部より出力して、当該指定用画面を参照しながら利用者が前記操作部を用いて前記選択曲の再生する部分を指定可能とし、指定された前記選択曲の部分に該当する前記音情報または前記音対応情報を、指定された順に前記記録部に記録し、当該指定された順に従って前記再生手段により再生可能とすることを特徴とする請求項１記載の楽曲編集機能付きカラオケ装置。
【請求項３】
前記指定用画面の情報には前記選択曲の歌詞の文字を表す歌詞情報または前記選択曲の部位を表す曲部位情報の一方又は双方が含まれ、前記楽曲編集手段は、利用者が前記操作部を用いて指定した前記歌詞情報または前記曲部位情報に該当する前記音情報または前記音対応情報を、指定された順に前記記録部に記録し、当該指定された順に従って前記再生手段により再生可能とすることを特徴とする請求項２記載の楽曲編集機能付きカラオケ装置。
【請求項４】
前記楽曲編集手段は、前記記録部に記録された前記音情報の列または前記音対応情報の列を、無作為に又は予め定めた手順に従って並べ替えることを特徴とする請求項１から３のいずれか１つに記載の楽曲編集機能付きカラオケ装置。
【請求項５】
前記指定用画面の情報には、予め用意された利用可能な効果音に対応する情報が含まれ、前記楽曲編集手段は、利用者が前記操作部を用いて選択した前記効果音に対応する情報を前記記録部に記録して、前記再生手段により再生可能とすることを特徴とする請求項２または３に記載の楽曲編集機能付きカラオケ装置。
【請求項６】
前記楽曲編集手段は、予め用意された利用可能な効果音に対応する情報を、無作為に又は予め定めた手順に従って、前記記録部に記録された前記音情報の列または前記音対応情報の列の中に挿入することを特徴とする請求項１から５のいずれか１つに記載の楽曲編集機能付きカラオケ装置。
【請求項７】
カラオケ装置本体と通信を行なう通信部と、利用者の入力操作を可能とする操作部と、利用者が前記操作部を用いて選択した楽曲である選択曲の音情報または当該音情報に対応する音対応情報を編集する楽曲編集手段とを有し、編集された前記音情報または前記音対応情報の再生を前記カラオケ装置本体に前記通信部より指示することを特徴とする楽曲編集機能付きカラオケ用リモコン装置。
【請求項８】
利用者の入力操作を可能とする操作部において選択されたカラオケ用楽曲である選択曲の音情報または当該音情報に対応する音対応情報を編集して、前記音情報を音として再生する又は前記音対応情報を前記音情報に変換して当該音情報を音として再生する再生手段により再生可能な状態で記録部に記録する手段として、コンピュータを機能させることを特徴とする楽曲編集プログラム。
【請求項９】
前記選択曲の再生部分の指定用画面の映像を表示出力する手段と、当該指定用画面を参照しながら利用者が前記操作部を用いて前記選択曲の再生する部分を指定可能とする手段と、指定された前記選択曲の部分に該当する前記音情報または前記音対応情報を、指定された順に前記記録部に記録して、前記再生手段により再生可能とする手段として、コンピュータを機能させることを特徴とする請求項８記載の楽曲編集プログラム。
【請求項１０】
前記指定用画面の情報には前記選択曲の歌詞の文字を表す歌詞情報または前記選択曲の部位を表す曲部位情報の一方又は双方が含まれ、利用者が前記操作部を用いて指定した前記歌詞情報または前記曲部位情報に該当する前記音情報または前記音対応情報を、指定された順に前記記録部に記録して、当該指定された順に従って前記再生手段により再生可能とする手段として、コンピュータを機能させることを特徴とする請求項９記載の楽曲編集プログラム。
【請求項１１】
前記記録部に記録された前記音情報の列または前記音対応情報の列を、無作為に又は予め定めた手順に従って並べ替える手段として、コンピュータを機能させることを特徴とする請求項８から１０のいずれか１つに記載の楽曲編集プログラム。
【請求項１２】
前記指定用画面の情報には、予め用意された利用可能な効果音に対応する情報が含まれ、利用者が前記操作部を用いて選択した前記効果音に対応する情報を前記記録部に記録して、前記再生手段により再生可能とする手段として、コンピュータを機能させることを特徴とする請求項９または１０記載の楽曲編集プログラム。
【請求項１３】
予め用意された利用可能な効果音に対応する情報を、無作為に又は予め定めた手順に従って、前記記録部に記録された前記音情報の列または前記音対応情報の列の中に挿入する手段として、コンピュータを機能させることを特徴とする請求項８から１２のいずれか１つに記載の楽曲編集プログラム。
【請求項１４】
利用者の入力操作を可能とする操作部と、楽曲の音情報または当該音情報に対応する音対応情報が記録される記録部と、前記記録部に記録された前記音情報を音として再生する又は前記記録部に記録された前記音対応情報を前記音情報に変換して当該音情報を音として再生する再生手段とを有するカラオケ装置の処理方法であって、利用者が前記操作部を用いて選択した楽曲である選択曲についての前記音情報または前記音対応情報を編集して前記記録部に記録し、当該編集された前記音情報または前記音対応情報を前記再生手段により再生する処理を実行することを特徴とするカラオケ装置の処理方法。
【請求項１５】
カラオケ用楽曲の音情報または当該音情報に対応する音対応情報を編集する楽曲編集手段と、編集された前記音情報または前記音対応情報をカラオケ装置に伝達する送り側情報伝達手段とを備える情報処理端末と、前記送り側情報伝達手段からの情報を受け取る受け側情報伝達手段と、前記受け側情報伝達手段にて受け取った前記音情報を音として再生する又は前記音対応情報を前記音情報に変換して当該音情報を音として再生する再生手段とを備えるカラオケ装置とを有することを特徴とするカラオケシステム。
【請求項１６】
前記送り側情報伝達手段は携帯型記録手段に編集された前記音情報または前記音対応情報を記録する装置であり、前記受け側情報伝達手段は前記携帯型記録手段に記録された前記音情報または前記音対応情報を読み取る装置であることを特徴とする請求項１５記載のカラオケシステム。
【請求項１７】
前記送り側情報伝達手段および前記受け側情報伝達手段は、有線通信または無線通信により、情報を送受信する装置であることを特徴とする請求項１５記載のカラオケシステム。
【請求項１８】
前記カラオケ装置または前記カラオケ装置が備えるリモコン装置は、前記受け側情報伝達手段より受け取った前記音情報または前記音対応情報を更に編集可能とする第２楽曲編集手段を備えることを特徴とする請求項１５から１７のいずれか１つに記載のカラオケシステム。
【請求項１９】
カラオケ用楽曲の音情報または当該音情報に対応する音対応情報を編集する楽曲編集手段と、編集された前記音情報または前記音対応情報をカラオケ装置に伝達する送り側情報伝達手段とを備えることを特徴とする情報処理端末。
【請求項２０】
情報処理端末で編集されたカラオケ用楽曲の音情報または当該音情報に対応する音対応情報を受け取る受け側情報伝達手段と、前記受け側情報伝達手段にて受け取った前記音情報を音として再生する又は前記音対応情報を前記音情報に変換して当該音情報を音として再生する再生手段とを備えることを特徴とするカラオケ装置。
【請求項２１】
情報処理端末で編集されたカラオケ用楽曲の音情報または当該音情報に対応する音対応情報を受け取る受け側情報伝達手段と、前記受け側情報伝達手段にて受け取った前記音情報または前記音対応情報の再生をカラオケ装置本体に指示する通信部とを備えることを特徴とするカラオケ用リモコン装置。
【請求項２２】
情報処理端末からの要求に応じてカラオケ用楽曲の音情報または当該音情報に対応する音対応情報を編集し、編集した前記音情報または前記音対応情報を前記情報処理端末に送信することを特徴とする楽曲編集サーバ。
【請求項２３】
情報処理端末からの要求に応じてカラオケ用楽曲の音情報または当該音情報に対応する音対応情報を編集し、編集した前記音情報または前記音対応情報を、指定された又は予め定められたカラオケ装置に送信することを特徴とする楽曲編集サーバ。
【発明の詳細な説明】
【技術分野】
【０００１】
本発明は、楽曲編集機能付きカラオケ装置およびカラオケ用リモコン装置並びに楽曲編集プログラムおよびカラオケ装置の処理方法に関する。さらに詳述すると、本発明はデータ加工等の情報処理機能を備えた楽曲編集機能付きカラオケ装置およびその処理方法、カラオケ用リモコン装置並びに楽曲編集プログラムに関する。
【背景技術】
【０００２】
従来あるカラオケ装置として、遠隔のサーバと通信を行なって当該サーバから新規のカラオケ曲をダウンロードできる通信カラオケ装置、マイクロホンと一体となった携帯型カラオケ装置などが知られている。また、例えば特許文献１〜７に開示されるもののように、プリクラ（プリントクラブ（商標）の略称）と呼ばれる画像印刷装置の機能を備えたカラオケ装置も提案されている。また、例えば特許文献８に開示されるもののように、電子目次本機能を備えたカラオケ用リモコン装置が従来ある。また、ゲーム機をカラオケ装置として機能させるソフトウェアも従来ある。
【０００３】
【特許文献１】特開平１０−１３３６７２号公報
【特許文献２】特開平１０−２０７４７７号公報
【特許文献３】特開平１０−２０７４８０号公報
【特許文献４】特開平１０−３１９９８０号公報
【特許文献５】特開平１１−２４６８４号公報
【特許文献６】特開平６−２８２２８６号公報
【特許文献７】特開２０００−１６３０８３号公報
【特許文献８】特開２００３−２０２８７２号公報
【発明の開示】
【発明が解決しようとする課題】
【０００４】
しかしながら、従来のカラオケは選曲して順番が来たら唄うという繰り返しであり、カラオケ曲をオリジナル的に編集して楽しむという遊び方は無く、カラオケ曲をオリジナル的に編集する機能を備えたカラオケ装置、ソフトウェア、カラオケ用リモコン装置は存在しなかった。
【０００５】
そこで本発明は、楽曲編集機能を備えたカラオケ装置およびカラオケ用リモコン装置並びに楽曲編集プログラムおよび当該カラオケ装置の処理方法、カラオケシステムおよび当該システムの構築に用いる情報処理端末、カラオケ装置、カラオケ用リモコン装置、楽曲編集サーバを提供することを目的とする。
【課題を解決するための手段】
【０００６】
かかる目的を達成するため、請求項１記載の楽曲編集機能付きカラオケ装置は、利用者の入力操作を可能とする操作部と、楽曲の音情報または当該音情報に対応する音対応情報が記録される記録部と、利用者が操作部を用いて選択した楽曲である選択曲についての音情報または音対応情報を編集して記録部に記録する楽曲編集手段と、記録部に記録された音情報を音として再生する又は記録部に記録された音対応情報を音情報に変換して当該音情報を音として再生する再生手段とを有するようにしている。
【０００７】
また、請求項７記載の楽曲編集機能付きカラオケ用リモコン装置は、カラオケ装置本体と通信を行なう通信部と、利用者の入力操作を可能とする操作部と、利用者が操作部を用いて選択した楽曲である選択曲の音情報または当該音情報に対応する音対応情報を編集する楽曲編集手段とを有し、編集された音情報または音対応情報の再生をカラオケ装置本体に通信部より指示するようにしている。
【０００８】
また、請求項８記載の楽曲編集プログラムは、利用者の入力操作を可能とする操作部において選択されたカラオケ用楽曲である選択曲の音情報または当該音情報に対応する音対応情報を編集して、音情報を音として再生する又は音対応情報を音情報に変換して当該音情報を音として再生する再生手段により再生可能な状態で記録部に記録する手段として、コンピュータを機能させるようにしている。ここで、コンピュータには、記録媒体に格納されたプログラムまたは配信されたプログラムまたはダウンロードしたプログラムを実行可能なゲーム機が含まれる。
【０００９】
また、請求項１４記載の発明は、利用者の入力操作を可能とする操作部と、楽曲の音情報または当該音情報に対応する音対応情報が記録される記録部と、記録部に記録された音情報を音として再生する又は記録部に記録された音対応情報を音情報に変換して当該音情報を音として再生する再生手段とを有するカラオケ装置の処理方法であって、利用者が操作部を用いて選択した楽曲である選択曲についての音情報または音対応情報を編集して記録部に記録し、当該編集された音情報または音対応情報を再生手段により再生する処理を実行するようにしている。
【００１０】
したがって、利用者は、楽しく面白く歌えるように、楽曲を好みに合わせて若しくは無作為に編集でき、今までのカラオケにはない楽しみや面白みをオリジナル的に演出できる。
【００１１】
また、請求項２記載の発明は、請求項１記載の楽曲編集機能付きカラオケ装置において、映像情報を出力する映像出力部をさらに有し、楽曲編集手段は、選択曲の再生部分の指定用画面の情報を映像出力部より出力して、当該指定用画面を参照しながら利用者が操作部を用いて選択曲の再生する部分を指定可能とし、指定された選択曲の部分に該当する音情報または音対応情報を、指定された順に記録部に記録し、当該指定された順に従って再生手段により再生可能とするようにしている。
【００１２】
また、請求項９記載の発明は、請求項８記載の楽曲編集プログラムにおいて、選択曲の再生部分の指定用画面の映像を表示出力する手段と、当該指定用画面を参照しながら利用者が操作部を用いて選択曲の再生する部分を指定可能とする手段と、指定された選択曲の部分に該当する音情報または音対応情報を、指定された順に記録部に記録して、再生手段により再生可能とする手段として、コンピュータを機能させるようにしている。
【００１３】
したがって、利用者にＧＵＩ（Graphical User Interface）環境を提供して、（１）楽曲の選択された部分、例えばサビの部分のみを再生する、（２）選択された部分を任意の回数繰り返す、（３）楽曲の開始箇所を選択する、例えば前奏をスキップさせる又は全くの途中から再生させる、（４）複数の選択曲について、各曲の任意の箇所を任意の範囲で選び、各曲の選択された部分を連続的につなげてメドレー構成にする、（５）一曲を前後に分けて当該前後を入れ替える、等の楽曲編集が可能となる。
【００１４】
また、請求項３記載の発明は、請求項２記載の楽曲編集機能付きカラオケ装置において、指定用画面の情報には選択曲の歌詞の文字を表す歌詞情報または選択曲の部位を表す曲部位情報の一方又は双方が含まれ、楽曲編集手段は、利用者が操作部を用いて指定した歌詞情報または曲部位情報に該当する音情報または音対応情報を、指定された順に記録部に記録し、当該指定された順に従って再生手段により再生可能とするようにしている。また、請求項１０記載の発明は、請求項９記載の楽曲編集プログラムにおいて、指定用画面の情報には選択曲の歌詞の文字を表す歌詞情報または選択曲の部位を表す曲部位情報の一方又は双方が含まれ、利用者が操作部を用いて指定した歌詞情報または曲部位情報に該当する音情報または音対応情報を、指定された順に記録部に記録して、当該指定された順に従って再生手段により再生可能とする手段として、コンピュータを機能させるようにしている。この場合、利用者は表示された歌詞の文字または前奏、間奏、後奏等の曲の部位を参考にして、再生する部分を選択できる。
【００１５】
また、請求項４記載の発明は、請求項１から３のいずれか１つに記載の楽曲編集機能付きカラオケ装置において、楽曲編集手段は、記録部に記録された音情報の列または音対応情報の列を、無作為に又は予め定めた手順に従って並べ替えるようにしている。また、請求項１１記載の発明は、請求項８から１０のいずれか１つに記載の楽曲編集プログラムにおいて、記録部に記録された音情報の列または音対応情報の列を、無作為に又は予め定めた手順に従って並べ替える手段として、コンピュータを機能させるようにしている。この場合、オリジナルの楽曲もしくは利用者が編集した楽曲の一部又は全てを、コンピュータによりランダム的に並び替えての楽曲編集もしくは再編集が行える。
【００１６】
また、請求項５記載の発明は、請求項２または３に記載の楽曲編集機能付きカラオケ装置において、指定用画面の情報には、予め用意された利用可能な効果音に対応する情報が含まれ、楽曲編集手段は、利用者が操作部を用いて選択した効果音に対応する情報を記録部に記録して、再生手段により再生可能とするようにしている。また、請求項１２記載の発明は、請求項９または１０記載の楽曲編集プログラムにおいて、指定用画面の情報には、予め用意された利用可能な効果音に対応する情報が含まれ、利用者が操作部を用いて選択した効果音に対応する情報を記録部に記録して、再生手段により再生可能とする手段として、コンピュータを機能させるようにしている。この場合、利用者はより創作性の豊かな楽曲編集を楽しめる。
【００１７】
また、請求項６記載の発明は、請求項１から５のいずれか１つに記載の楽曲編集機能付きカラオケ装置において、楽曲編集手段は、予め用意された利用可能な効果音に対応する情報を、無作為に又は予め定めた手順に従って、記録部に記録された音情報の列または音対応情報の列の中に挿入するようにしている。また、請求項１３記載の発明は、請求項８から１２のいずれか１つに記載の楽曲編集プログラムにおいて、予め用意された利用可能な効果音に対応する情報を、無作為に又は予め定めた手順に従って、記録部に記録された音情報の列または音対応情報の列の中に挿入する手段として、コンピュータを機能させるようにしている。この場合、コンピュータによるランダム的な楽曲編集の面白みが高まる。
【００１８】
また、請求項１５記載のカラオケシステムは、カラオケ用楽曲の音情報または当該音情報に対応する音対応情報を編集する楽曲編集手段と、編集された音情報または音対応情報をカラオケ装置に伝達する送り側情報伝達手段とを備える情報処理端末と、送り側情報伝達手段からの情報を受け取る受け側情報伝達手段と、受け側情報伝達手段にて受け取った音情報を音として再生する又は音対応情報を音情報に変換して当該音情報を音として再生する再生手段とを備えるカラオケ装置とを有するようにしている。
【００１９】
また、請求項１９記載の情報処理端末は、カラオケ用楽曲の音情報または当該音情報に対応する音対応情報を編集する楽曲編集手段と、編集された音情報または音対応情報をカラオケ装置に伝達する送り側情報伝達手段とを備えるようにしている。
【００２０】
また、請求項２０記載のカラオケ装置は、情報処理端末で編集されたカラオケ用楽曲の音情報または当該音情報に対応する音対応情報を受け取る受け側情報伝達手段と、受け側情報伝達手段にて受け取った音情報を音として再生する又は音対応情報を音情報に変換して当該音情報を音として再生する再生手段とを備えるようにしている。
【００２１】
また、請求項２１記載のカラオケ用リモコン装置は、情報処理端末で編集されたカラオケ用楽曲の音情報または当該音情報に対応する音対応情報を受け取る受け側情報伝達手段と、受け側情報伝達手段にて受け取った音情報または音対応情報の再生をカラオケ装置本体に指示する通信部とを備えるようにしている。
【００２２】
したがって、利用者は自宅などで情報処理端末を用いて楽曲編集を行い、カラオケ装置を備えたカラオケ店舗等において、編集楽曲を再生してカラオケを楽しむことができる。
【００２３】
また、請求項１６記載の発明は、請求項１５記載のカラオケシステムにおいて、送り側情報伝達手段は携帯型記録手段に編集された音情報または音対応情報を記録する装置であり、受け側情報伝達手段は携帯型記録手段に記録された音情報または音対応情報を読み取る装置であるものとしている。この場合、利用者は自宅などで情報処理端末を用いて楽曲編集を行い、編集した音情報または音対応情報を携帯型記録手段に記録し、この携帯型記録手段を持って、カラオケ装置を備えたカラオケ店舗等に行き、編集楽曲を再生してカラオケを楽しむことができる。
【００２４】
また、請求項１７記載の発明は、請求項１５記載のカラオケシステムにおいて、送り側情報伝達手段および受け側情報伝達手段は、有線通信または無線通信により、情報を送受信する装置であるものとしている。この場合、利用者は自宅などで情報処理端末を用いて楽曲編集を行い、編集した音情報または音対応情報が記録されている情報処理端末を持って、カラオケ装置を備えたカラオケ店舗等に行き、編集楽曲を再生してカラオケを楽しむことができる。
【００２５】
また、請求項１８記載の発明は、請求項１５から１７のいずれか１つに記載のカラオケシステムにおいて、カラオケ装置またはカラオケ装置が備えるリモコン装置は、受け側情報伝達手段より受け取った音情報または音対応情報を更に編集可能とする第２楽曲編集手段を備えるものとしている。この場合、カラオケ装置またはリモコン装置を用いて、カラオケ用楽曲に関する編集内容の確認、追加編集、編集内容の変更等を行える。
【００２６】
また、請求項２２記載の楽曲編集サーバは、情報処理端末からの要求に応じてカラオケ用楽曲の音情報または当該音情報に対応する音対応情報を編集し、編集した音情報または音対応情報を情報処理端末に送信するようにしている。この場合、情報処理端末に楽曲編集手段を備えなくても、楽曲編集サーバを利用して情報処理端末を用いた楽曲編集が可能となる。
【００２７】
また、請求項２３記載の楽曲編集サーバは、情報処理端末からの要求に応じてカラオケ用楽曲の音情報または当該音情報に対応する音対応情報を編集し、編集した音情報または音対応情報を、指定された又は予め定められたカラオケ装置に送信するようにしている。この場合、カラオケ装置を備えたカラオケ店舗等において編集楽曲を再生してカラオケを楽しむにあたり、利用者は情報処理端末や携帯型記録手段を当該カラオケ店舗等に持って行く必要はない。
【発明の効果】
【００２８】
請求項１記載の楽曲編集機能付きカラオケ装置、請求項７記載の楽曲編集機能付きカラオケ用リモコン装置、請求項８記載の楽曲編集プログラム、請求項１４記載のカラオケ装置の処理方法によれば、利用者は、楽しく面白く歌えるように、楽曲を好みに合わせて若しくは無作為に編集でき、今までのカラオケにはない楽しみや面白みをオリジナル的に演出できる。
【００２９】
さらに、請求項２記載の楽曲編集機能付きカラオケ装置および請求項９記載の楽曲編集プログラムによれば、利用者にＧＵＩ（Graphical User Interface）環境を提供して、（１）楽曲の選択された部分、例えばサビの部分のみを再生する、（２）選択された部分を任意の回数繰り返す、（３）楽曲の開始箇所を選択する、例えば前奏をスキップさせる又は全くの途中から再生させる、（４）複数の選択曲について、各曲の任意の箇所を任意の範囲で選び、各曲の選択された部分を連続的につなげてメドレー構成にする、（５）一曲を前後に分けて当該前後を入れ替える、等の楽曲編集が可能となる。
【００３０】
さらに、請求項３記載の楽曲編集機能付きカラオケ装置および請求項１０記載の楽曲編集プログラムによれば、利用者は表示された歌詞の文字または前奏、間奏、後奏等の曲の部位を参考にして、再生する部分を選択できる。
【００３１】
さらに、請求項４記載の楽曲編集機能付きカラオケ装置および請求項１１記載の楽曲編集プログラムによれば、オリジナルの楽曲もしくは利用者が編集した楽曲の一部又は全てを、コンピュータによりランダム的に並び替えての楽曲編集もしくは再編集が行え、利用者の予想のつかない楽曲編集が可能となる。
【００３２】
さらに、請求項５記載の楽曲編集機能付きカラオケ装置および請求項１２記載の楽曲編集プログラムによれば、利用者はより創作性の豊かな楽曲編集を楽しめる。
【００３３】
さらに、請求項６記載の楽曲編集機能付きカラオケ装置および請求項１３記載の楽曲編集プログラムによれば、コンピュータによるランダム的な楽曲編集の面白みが高まる。
【００３４】
さらに、請求項１５，１６，１７記載のカラオケシステム、請求項１９記載の情報処理端末、請求項２０記載のカラオケ装置、請求項２１記載のカラオケ用リモコン装置によれば、利用者は、カラオケ店等でカラオケをする以前の自由な時間を使って、制限時間等に束縛されることなく、自宅などで情報処理端末を用いて予め楽曲編集を行い、例えば情報処理端末がパーソナルコンピュータやゲーム機などであれば編集した音情報または音対応情報を携帯型記録手段に記録し、この携帯型記録手段を持って、或いは情報処理端末が携帯電話機などのモバイル端末であれば編集した音情報または音対応情報が記録されている情報処理端末を持って、カラオケ装置を備えたカラオケ店舗等に行き、編集楽曲を再生してカラオケを楽しむことができる。
【００３５】
さらに、請求項１８記載のカラオケシステムによれば、カラオケ装置またはリモコン装置を用いて、カラオケ用楽曲に関する編集内容の確認、追加編集、編集内容の変更等を行える。
【００３６】
さらに、請求項２２記載の楽曲編集サーバによれば、情報処理端末に楽曲編集手段を備えなくても、楽曲編集サーバを利用して情報処理端末を用いた楽曲編集が可能となる。
【００３７】
さらに、請求項２３記載の楽曲編集サーバによれば、利用者は、カラオケ店等でカラオケをする以前の自由な時間を使って、制限時間等に束縛されることなく、自宅などで情報処理端末を用いて予め楽曲編集を行えるのに加えて、カラオケ装置を備えたカラオケ店舗等において当該編集した楽曲を再生してカラオケを楽しむにあたり、利用者は情報処理端末や携帯型記録手段を当該カラオケ店舗等に持って行く必要がない。
【発明を実施するための最良の形態】
【００３８】
以下、本発明の構成を図面に示す実施形態に基づいて詳細に説明する。
【００３９】
図１から図１０に本発明の楽曲編集機能を備えたカラオケ装置およびカラオケ装置の処理方法並びに楽曲編集プログラムの実施の一形態を示す。このカラオケ装置１は、利用者の入力操作を可能とする操作部２と、楽曲の音情報が記録される記録部３と、記録部３に記録された音情報を音として再生する再生手段としての再生装置４を有している。ここで音情報とは、楽曲を構成する音または音の再生法を符号化した情報であり、例えばＭＩＤＩ（Music Instrument Digital Interface）データ等である。
【００４０】
さらに、本実施形態のカラオケ装置１は、図１に示すように、例えば制御装置６としての一台又は複数台のＣＰＵ（Central Processing Unit）と、音声入力装置としてのマイクロホン９と、再生装置４およびマイクロホン９から出力される音声信号を増幅するアンプ８と、音声信号を音声振動に変換して出力する音声出力装置としてのスピーカ１０と、映像情報を出力する映像出力部５と、映像出力部５が出力する映像情報を表示する表示装置としてのモニタ７と、サーバ１３とネットワーク１２を介した通信を行なうための通信部１１とを有している。尚、ネットワーク１２は、有線または無線のいずれの形態であっても良く、例えば本実施形態ではインターネットを利用している。
【００４１】
本実施形態の記録部３は、例えば制御装置６を動作させる基本プログラムが格納されたＲＯＭ（Read Only Memory）３ａと、一時的な作業データ等を記憶するＲＡＭ（Random Access Memory）３ｂと、楽曲の音情報および当該楽曲と対応した歌詞情報および映像情報（以下、これらの情報を楽曲情報と総称する。）が記録される外部記憶装置としてのハードディスク３ｃとで構成されている。但し、記録部３の構成は本実施形態の例に限定されない。
【００４２】
本実施形態のカラオケ装置１は、通信部１１によりネットワーク１２を介してサーバ１３と通信を行ない、楽曲情報を必要に応じてサーバ１３からダウンロードする事が可能となっている。当該ダウンロードした情報は例えばハードディスク３ｃに格納される。尚、カラオケ装置１の記録部３に複数の楽曲情報を常備しておき、新曲がある場合にのみ当該新曲の楽曲情報をサーバ１３からカラオケ装置１の記録部３にダウンロードするようにしても良く、あるいはカラオケ装置１の記録部３に楽曲情報を常備せずに、カラオケ曲の再生ごとに必要な楽曲情報を記録部３にダウンロードするようにしても良い。但し、楽曲情報を記録部３に予め格納しておく場合などには、カラオケ装置１に通信部１１を備えなくても良い。
【００４３】
制御装置６と、記録部３、操作部２、再生装置４、映像出力部５、通信部１１とはバス１４を介して接続される。例えばハードディスク３ｃには、楽曲編集プログラムが格納されており、制御装置６は、当該楽曲編集プログラムを読み込み且つ実行することによって、利用者が操作部２を用いて選択した楽曲である選択曲の音情報を、操作部２に対する利用者の操作に応じて加工して記録部３に記録し、当該加工された音情報を再生装置４により再生する処理を実行する。制御装置６が楽曲編集プログラムを読み込み且つ実行することによって、楽曲編集手段としての機能が実現される。
【００４４】
また、例えば本実施形態のカラオケ装置１では、選曲用画面や楽曲編集用画面をモニタ７に表示して、当該選曲用画面や楽曲編集用画面を参照しながら利用者が操作部２を用いて選曲や楽曲編集を行なえるようにしている。即ち、本実施形態のカラオケ装置１では、利用者にＧＵＩ環境を提供できるようにしている。
【００４５】
このために本実施形態の操作部２は、例えばモニタ７の表面に一体的に取り付けられるタッチパネルと、その近傍に設けたタッチペンとで構成されている。タッチパネルは、モニタ７の画面に触れるタッチペンの座標的位置を感知して、当該座標的位置に応じた信号を制御装置６に送る。尚、タッチパネルは、人間の指先の接触にて感知するタイプとしても良い。但し、操作部２の構成は本実施形態の例に限定されず、例えばモニタ７に表示したポインタを移動させるマウス、ジョイスティック、トラックボール等のポインティングデバイスと、ポインタが指し示す情報を選択するボタンとで操作部２を構成しても良い。
【００４６】
図２および図３に、制御装置６が実行する処理の一例を示す。先ず、制御装置６はモニタ７に選曲用画面を表示する（Ｓ１）。選曲用画面の一例を図４から図８に示す。例えば先ず図４に示すように、初期画面５０がモニタ７に表示される。本実施形態では例えば、利用者がボタン（以下、画面の表示選択エリアを「ボタン」と呼称する）５１，５２，５３のいずれかを選択することで、「コード入力」「歌手で選択」「曲名で選択」の三種のうち、いずれかの選曲方法が選択できるようになっている。
【００４７】
「コード入力」が選択された場合は、例えば図５に示す画面５４がモニタ７に表示される。尚、コード入力を容易とするために、楽曲名と対応するコードが記載された表（選曲本などとも呼ばれる）を用意しておくことが好ましい。利用者は、コード入力ボタン５５を指定して希望する楽曲名に対応するコードを入力し、「ＯＫ」ボタン５６を選択する。当該選択後、例えば図６に示す画面５７がモニタ７に表示される。同画面５７には、入力されたコードが枠５８内に表示され、当該コードに対応する楽曲名が枠５９内に表示される。利用者は、同画面５７を確認し、表示された楽曲名が所望のものであれば、「ＯＫ」ボタン６０を選択することで、選曲を確定できる。
【００４８】
また、「歌手で選択」が選ばれた場合、例えば図７に示す画面６１がモニタ７に表示される。利用者は、文字入力ボタン６２を指定して歌手の名前を入力する。入力された文字は枠６３内に表示される。ここで、本実施形態では、現時点までで入力されている文字に基いて、該当すると思われる候補歌手名を枠６４内に表示するようにしている。したがって利用者は、歌手の名前を完全に入れ終わらなくても、枠６４内に表示された候補歌手名の中に該当する歌手名があれば、当該歌手名を選ぶことが可能となっている。文字入力が進む程に候補歌手名は絞られることとなる。該当歌手名が選択されると、例えば図８に示す曲名選択画面６５が表示される。同画面６５の枠６６内には、選択された歌手に対応する楽曲一覧が表示される。利用者は、表示された楽曲一覧の中から、所望の楽曲名を選択することが可能となっており、楽曲名を選択することで選曲を確定できる。尚、楽曲一覧が枠６６内に収まらない場合には、上ボタン６７，下ボタン６８を指定することで、枠６６内の表示をスクロールできるようになっている。
【００４９】
また、「曲名で選択」が選ばれた場合、図示を省略するが、例えば図７と同様の画面がモニタ７に表示され、利用者は文字入力ボタンを指定して所望の楽曲名を入力できる。尚、利用者が楽曲名を完全に入れ終わらなくても、現時点までで入力されている文字に基いて、該当すると思われる候補楽曲名を表示するようにしても良い。利用者が表示された候補楽曲名の中から所望のものを選択することで、選曲を確定できる。尚、図中の「戻る」ボタン６９は、直前の行為を元に戻す機能を有する。
【００５０】
選曲の確定後、制御装置６は初期画面５０を再びモニタ７に表示する。これにより、利用者が複数曲の選曲を行なえるようにしている。さらに選曲を希望する利用者は、「コード入力」ボタン５１、「歌手で選択」ボタン５２、「曲名で選択」ボタン５３のいずれかを選択する（Ｓ２；Ｎｏ）。選曲を行なわない利用者は、「終了」ボタン９０を選択する（Ｓ２；Ｙｅｓ）。
【００５１】
「終了」ボタン９０が選択される（Ｓ２；Ｙｅｓ）と、制御装置６は楽曲編集を行なうか否かを確認する図示しない画面をモニタ７に表示する（Ｓ３）。当該画面で、利用者により「楽曲編集を行なわない」が選択されると（Ｓ３；Ｎｏ）、選択された楽曲について、再生装置４により通常通りの楽曲再生が行なわれる（Ｓ４）。一方、利用者により「楽曲編集を行なう」が選択されると（Ｓ３；Ｙｅｓ）、選択された１または複数の楽曲について、以下に説明する楽曲編集処理が行なわれる（Ｓ５）。
【００５２】
図３に楽曲編集処理の一例を示す。制御装置６は選択された楽曲に対応する楽曲情報をハードディスク３ｃから例えばＲＡＭ３ｂに設けられた一時領域２０にコピーする（Ｓ５０１）。
【００５３】
ここで、例えば本実施形態では、選択曲の再生する部分を指定できる画面をモニタ７に表示して、利用者が操作部２を用いて選択曲の再生部分を指定できるようにしている。制御装置６は、当該指定された選択曲の部分に該当する音情報を、一時領域２０から読み出し、指定された順に例えばＲＡＭ３ｂに設けられた再生用領域２１に記録して、再生装置４により再生可能とする。この場合、（１）当該選択された部分、例えばサビの部分のみを再生する、（２）選択された部分を任意の回数繰り返す、（３）楽曲の開始箇所を選択する、例えば前奏をスキップさせる又は全くの途中から再生させる、（４）複数の選択曲について、各曲の任意の箇所を任意の範囲で選び、各曲の選択された部分を連続的につなげてメドレー構成にする、（５）一曲を前後に分けて当該前後を入れ替える、等の楽曲編集が可能となる。
【００５４】
このために制御装置６は、楽曲編集用画面をモニタ７に表示する（Ｓ５０２）。楽曲編集用画面の一例を図９に示す。同画面７０の左側には、選択された楽曲の歌詞の情報が表示される。歌詞の情報は、例えば「１番」「サビ」「２番」などのように纏まりのある部分が外枠７１で囲われており、各外枠７１の中には該当する部分の歌詞の文字が表示される。また、外枠７１内の各文字は内枠７２で囲われている。そして、利用者がタッチペンを用いて選択した各外枠７１および各内枠７２内の文字が、選択された順番に画面７０の右側のウィンドウ７３に表示されるようになっている。例えば、利用者がタッチペンを用いて、先ず「サビ」の外枠７１に触れ、次に「一番」の外枠７１に触れ、次に「２番」の外枠７１の中の１行目の内枠７２に順次触れ、さらに「サビ」の外枠７１に触れると、ウィンドウ７３の表示は図１０に示すようになる。
【００５５】
歌詞を構成する各文字の内枠７２にはそれぞれ対応する音情報すなわちメロディが関連付けられており、ウィンドウ７３に表示された文字の順に従って、各文字に対応するメロディが再生されることとなる。例えば、サビの中の「たちつ」の文字を選んだ後に、１番の中の「えおか」の文字を選ぶと、まさに「たちつ」のメロディーに連続して「えおか」のメロディーが再生される。このために制御装置６は、ウィンドウ７３に表示された各文字の内枠７２に関連付けられた音情報を、ＲＡＭ３ｂの一時領域２０から読み出し、ウィンドウ７３に表示された文字の順に従って、ＲＡＭ３ｂの再生用領域２１に記録する（Ｓ５０３；Ｙｅｓ，Ｓ５０４）。また本実施形態では、ウィンドウ７３に表示された文字群を編集歌詞情報としてＲＡＭ３ｂの再生用領域２１に記録し、編集楽曲の再生と共にモニタ７に表示できるようにしている。
【００５６】
また、再生用領域２１に記録された音情報と共に再生時間情報も計算され、ウィンドウ７３内に選択表示された内容に対応した再生時間が、例えばウィンドウ７３の右上枠外に表示される。これにより、利用者は表示される再生時間を参照しながら、楽曲編集を行うことができ、例えば再生される楽曲が極端に短くなったり長くなったりすることのないように楽曲編集を行なえる。
【００５７】
尚、選択曲の再生部分を指定するために楽曲編集用画面に表示される情報は、上記のような選択曲の歌詞情報のみには限定されず、選択曲の部位、例えば前奏、間奏、後奏等を表す文字や記号または図形などの曲部位情報であっても良い。例えば本実施形態の画面７０の左側には、選択された楽曲の「前奏」部分を表すボタン７４が表示され、「前奏」ボタン７４が選択されない場合は、前奏がカットされるようになっている。
【００５８】
また、本実施形態の楽曲編集用画面には、利用可能な効果音の情報が表示されるようにしている。尚、効果音には無音も含むものとする。制御装置６は、利用者が操作部２を用いて選択した効果音に対応する音情報を、利用者が操作部２を用いて指定した箇所に対応するＲＡＭ３ｂの再生用領域２１の箇所に記録する（Ｓ５０５；Ｙｅｓ，Ｓ５０６）。例えば既述したように歌詞が選択されると、図１０に示すように、ウィンドウ７３には「擬音」ボタン７５、「拍手」ボタン７６、「消音」ボタン７７、「間奏」ボタン７８が表示される。利用者がタッチペンを用いて、これらのボタン７５〜７８のいずれかに触れた後、ウィンドウ７３内の文字と文字の間に触れると、これらの文字の間に指定された効果音を表す文字情報が挿入されると共に、これらの文字に対応するＲＡＭ３ｂの再生用領域２１内の音情報と音情報の間に、各ボタン７５〜７８に対応する効果音の音情報が挿入される。例えば「消音」は一定時間、例えば１秒程度、音を消す効果を起こす。例えば、ある文字と文字の間で「消音」効果を３回挿入すると、約３秒間の無音状態を創ることができ、唄っている途中で急に曲が終わった状態を演出し、聞いている又は一緒に唄っている仲間が「あれ」と思った瞬間、再び曲の続きを再生するようにできる。「拍手」も「擬音」の一種であるが、「擬音」においては、例えば二次画面で「らっぱの音」「悲鳴」「一言セリフ」等、多種用意しておいても良い。これにより、演出表現が増え、創作性の豊かな楽曲編集を楽しめる。
【００５９】
また、利用者がタッチペンを用いて、ウィンドウ７３に表示された「取消」ボタン７９に触れた後、ウィンドウ７３内の外枠７１または内枠７２または文字間に挿入された効果音を表す文字情報に触れると、当該箇所が消去され、後の文字が詰まってくるようになっている。また、上記消去に対応して、ＲＡＭ３ｂの再生用領域２１内の該当する音情報も消去され、後の音情報が詰まってくるようになっている。また、「戻る」ボタン６９は、直前の行為を元に戻す機能を有し、例えば利用者がタッチペンを用いて「戻る」ボタン６９に３回触れると三つ手前の状態に戻る。「拍手」等の効果音の挿入や歌詞の一部削除等に伴って、上述した再生時間の表示時間は随時変わる。
【００６０】
そして、利用者によりウィンドウ７３内の「ＯＫ」ボタン８０が選択されると、編曲内容が確定する（Ｓ５０７；Ｙｅｓ）。制御装置６は、再生装置４に指令を出し、これにより再生装置４は、ＲＡＭ３ｂの再生用領域２１に記録された音情報を再生する（Ｓ５０８）。また、当該再生と同期して、再生用領域２１に記録された編集歌詞情報が、例えば再生楽曲と対応する映像情報と合成されて、モニタ７に表示される。従って、利用者は、モニタ７を見ながら編集楽曲の進行に合わせて唄うことができる。
【００６１】
尚、再生音楽に合わせた歌詞や映像が表示されるカラオケ用のモニタを、選曲用画面や楽曲編集用画面を表示するモニタ７とは別にして、ある者が歌っている間に他の者が選曲や楽曲編集を行なえるようにしても良い。また、カラオケ曲の予約を可能とする場合には、ＲＡＭ３ｂの再生用領域２１に格納された編集楽曲を予約曲として扱うようにすれば良い。
【００６２】
さらに、本発明の他の実施形態について以下に説明する。尚、以下に説明する他の実施形態において上述の実施形態と同様の構成については、同一符号を付してその詳細な説明を省略し、各実施形態特有の構造等について説明する。
【００６３】
本発明は、例えば図１１に示すように、携帯型カラオケ装置１’に適用することも可能である。この携帯型カラオケ装置１’は、例えば、利用者の入力操作を可能とする操作部２と、楽曲の音情報が記録される記録部３と、記録部３に記録された音情報を再生するための再生手段としての再生装置４と、映像出力部５および音声出力部２３と、制御装置６と、マイクロホン９とが一体化されたものであり、映像出力部５と音声出力部２３とを既存のテレビジョン受像機２４の映像用端子と音声用端子にそれぞれ接続することで、記録部３に記録された楽曲およびマイクロホン９から入力される音声がテレビジョン受像機２４のスピーカから出力されると共に、当該楽曲に対応する映像がテレビジョン受像機２４に表示されるようになっている。記録部３は、例えば制御装置６を動作させる基本プログラムや楽曲編集プログラムが格納された読み書き可能な不揮発性メモリ３ａ’、例えばフラッシュメモリと、一時的な作業データ等を記憶するＲＡＭ３ｂと、楽曲情報が記録される情報記録媒体３ｃ’、例えば取り外し可能且つ携帯可能なカード型記録媒体とで構成されている。
【００６４】
この携帯型カラオケ装置１’自体には、モニタ７やスピーカ１０を備える必要がなく、既存のテレビジョン受像機２４を利用できる利点がある。尚、この携帯型カラオケ装置１’には通信部１１’を備えてもよく、この場合、例えばパーソナルコンピュータ２５とネットワーク１２を利用してサーバ１３と通信を行ない、楽曲情報を必要に応じてサーバ１３から情報記録媒体３ｃ’にダウンロードする事もできる。この携帯型カラオケ装置１’を利用しても、図２〜図１０を用いて上記に説明したのと同様の処理を行うことが可能である。
【００６５】
また、本発明は、例えば図１２に示すように、カラオケ用リモコン装置３０に適用することも可能である。このカラオケ用リモコン装置３０は、例えば、利用者の入力操作を可能とする操作部２と、カラオケ装置本体３１と通信を行なう通信部３２ａと、記録部３と、制御装置６と、リモコン用モニタ７’とを有している。記録部３は、例えば制御装置６を動作させる基本プログラムや楽曲編集プログラムが格納された読み書き可能な不揮発性メモリ３ａ’、例えばフラッシュメモリと、一時的な作業データ等を記憶するＲＡＭ３ｂとで構成されている。カラオケ用リモコン装置３０は、例えばリモコン用モニタ７と一体に設けられている。尚、このカラオケ用リモコン装置３０には、例えば周知の電子目次本機能を備えるようにしても良い。
【００６６】
一方、カラオケ装置本体３１は、例えば、カラオケ用リモコン装置３０と通信を行なう通信部３２ｂと、記録部３４と、カラオケ用制御装置３５と、再生装置４と、マイクロホン９と、アンプ８と、スピーカ１０と、映像出力部５と、カラオケ用モニタ３３とを備えている。記録部３４は、例えカラオケ用制御装置３５を動作させる基本プログラムが格納されたＲＯＭ３４ａと、一時的な作業データ等を記憶するＲＡＭ３４ｂと、楽曲情報が記録される外部記憶装置としてのハードディスク３４ｃとで構成されている。
【００６７】
このカラオケ用リモコン装置３０は、利用者が操作部２を用いて選択した楽曲である選択曲の音情報を、操作部２に対する利用者の操作に応じて加工すると共に、当該加工された音情報の再生をカラオケ装置本体３１に通信部３２ａより指示するようにして、例えば図２〜図１０に説明したのと同様の処理を実現する。このカラオケ用リモコン装置３０によれば、ある者が歌っている間に他の者が選曲や楽曲編集を行なえる利点がある。尚、選択曲の音情報を加工する際には、例えばカラオケ用リモコン装置３０が備える記録部３の一時領域２０，再生用領域２１を用いるようにしても良く、あるいはカラオケ装置本体３１が備える記録部３４の一時領域２０，再生用領域２１を用いるようにしても良い。尚、一台のカラオケ装置本体３１に対して、複数台のカラオケ用リモコン装置３０を備えるようにしても良い。この場合は、各カラオケ用リモコン装置３０にそれぞれ一意の識別情報を付与し、カラオケ用リモコン装置３０とカラオケ装置本体３１との間で送受信するデータに上記付与された識別情報を含ませる。これにより、カラオケ装置本体３１では、受信したデータに含まれる識別情報に基き、どのカラオケ用リモコン装置３０から送信されたデータか識別でき、各カラオケ用リモコン装置３０では、カラオケ装置本体３１から送信されたデータが自分に対して送信されたものか否か判断でき、例えば楽曲再生の順序の制御や楽曲再生のキャンセルの受付などが行える。
【００６８】
ところで、楽曲編集の際に音情報そのものを加工するのではなく、音情報に対応する音対応情報を加工するようにしても良い。音対応情報は、一定の規則のもとに楽曲を構成する音と対応付けられた情報であり、音そのものを表す情報ではないが上記一定の規則に従って対応する音が導き出される情報である。このような音対応情報の具体例として、例えば楽曲を構成する音を暗号化した情報や、楽曲と対応する歌詞情報や曲部位情報などが挙げられる。音対応情報の情報量が元となる音情報の情報量よりも小さくなるように音対応情報を定める場合、楽曲編集に必要な記録部３の記憶容量を小さく抑えられる効果が得られ、特にカラオケ用リモコン装置３０を用いた楽曲編集に有効である。例えばカラオケ用リモコン装置３０の不揮発性メモリ３ａ’に音対応情報を記録しておく。そして、楽曲編集の際には、カラオケ用リモコン装置３０のＲＡＭ３ｂに設けられた一時領域２０に選択曲に対応する音対応情報をコピーし、当該一時領域２０にコピーされた音対応情報を操作部２に対する利用者の操作に応じて編集し、編集された音対応情報をＲＡＭ３ｂに設けられた再生用領域２１に記録する。そして編集作業終了後、通信部３２ａより編集された音対応情報をカラオケ装置本体３１に転送する。カラオケ装置本体３１では、例えば選択曲に対応する音情報をＲＡＭ３４ｂに設けられた一時領域２０にコピーしておき、通信部３２ｂより受信した音対応情報に基づいて、ＲＡＭ３４ｂの一時領域２０にコピーされた音情報を編集し、当該編集した音情報をＲＡＭ３４ｂに設けられた再生用領域２１に記録する。尚、通信部３２ｂより受信した音対応情報に、予め用意された利用可能な効果音に対応する情報が挿入さている場合には、再生用領域２１の該当箇所に当該効果音の音情報を挿入する。そして再生装置４は、ＲＡＭ３４ｂの再生用領域２１に記録された音情報を再生する。但し、音対応情報を音情報に変換する機能を再生装置４に備えて、通信部３２ｂより受信した音対応情報を再生装置４が逐次解釈して音情報に変換し且つ変換した音情報を音として再生するようにしても良い。
【００６９】
また、利用者の操作に応じて楽曲編集を行うものに限らず、コンピュータによりランダムに楽曲編集を行うようにしても良い。例えば図２の楽曲編集処理（Ｓ５）において、「（１）あなたが編集します。（２）コンピュータが勝手に編集します。（３）あなたが編集したものを更にコンピュータが一部分又は全部に亘って自動再編集します。」とのメッセージを画面に表示し、上記（１）〜（３）の編集方法のいずれかを利用者が選択できるようにする。（１）が選択された場合は、既述した図３の処理を行う。（２）が選択された場合、例えば制御装置６は、選択曲に対応する音情報を一時領域２０にコピーし、選択曲を構成する音情報の列を、無作為に又は予め定めた手順に従って並べ替えて再生用領域２１に記録する、または予め用意された利用可能な効果音に対応する音情報を、無作為に又は予め定めた手順に従って、再生用領域２１の音情報の列の中に挿入する。（３）が選択された場合、例えば制御装置６は、利用者による編曲内容が確定して再生用領域２１に格納された音情報の列の一部又は全部に対して、無作為に又は予め定めた手順に従って並べ替えを行う、または予め用意された利用可能な効果音に対応する音情報を、無作為に又は予め定めた手順に従って挿入する。無作為に音情報列の並べ替えを行なう場合、制御装置６は例えば選択曲を構成する音情報の列を複数に分断して、当該分断した各部分に連続番号を付与すると共に、当該連続番号の範囲で乱数を順次発生させて、発生した乱数に該当する部分の音情報を、乱数発生順に並べるようにする。尚、音情報列の分断は、分断される各部分が「１番」「２番」「サビ」などのように纏まりのある部分となるように行なってもよく、あるいは一定データ長ずつ分断しても良い。また、例えば乱数発生時に「０」が出た場合などに、効果音の挿入を行うようにしても良い。一方、無作為に効果音の情報の挿入を行なう場合、制御装置６は例えば用意された複数の効果音に対して連続番号を付与すると共に、当該連続番号の範囲で乱数を発生させて、発生した乱数に該当する効果音の情報を音情報の列の中に挿入するようにする。制御装置６が楽曲編集プログラムを読み込み且つ実行することによって、楽曲編集手段としての上記機能が実現される。（２）が選択された場合には、楽曲の再生構成がメチャクチャになり、例えば利用者は各フレーズ毎につなぎ合わされた歌詞を見て瞬間的な判断で上手く歌えることを競い合う楽しみ方ができ、ゲーム性が高まる効果が得られる。（３）が選択された場合には、利用者が意図的に編集した内容の一部又は全てが変わり、面白さを演出できる楽しさを味わうことが可能となる。尚、音情報に対応する音対応情報に対して、上述したコンピュータによるランダムな楽曲編集を行うようにしても良い。
【００７０】
次に、本発明のカラオケシステムおよび当該システムの構築に用いる情報処理端末、カラオケ装置、カラオケ用リモコン装置、楽曲編集サーバの実施の一形態について、図１３〜図１８を用いて説明する。
【００７１】
例えば図１３または図１４に示すカラオケシステム１００は、情報処理端末１０１と、カラオケ装置１０２とを有して構成される。情報処理端末１０１は、カラオケ用楽曲の音情報または当該音情報に対応する音対応情報を編集する楽曲編集手段１０３と、編集された音情報または音対応情報をカラオケ装置１０２に伝達する送り側情報伝達手段１０４とを備えている。カラオケ装置１０２は、送り側情報伝達手段１０４からの情報を受け取る受け側情報伝達手段１０５と、受け側情報伝達手段１０５より受け取った音情報を音として再生する又は音対応情報を音情報に変換して当該音情報を音として再生する再生手段１０６とを備えている。
【００７２】
情報処理端末１０１は、例えば利用者が所有するパーソナルコンピュータやゲーム機または携帯電話機やＰＤＡ（Personal Digital Assistants）等のモバイル端末などである。情報処理端末１０１には、例えば楽曲編集プログラムがインストールされており、情報処理端末１０１が備える図示しない制御装置が楽曲編集プログラムを読み込み且つ実行することによって、楽曲編集手段１０３としての既述した実施形態と同様の機能が実現される。
【００７３】
情報処理端末１０１が備える送り側情報伝達手段１０４は、例えば図１５の例では、編集された音情報または音対応情報を携帯型記録手段１０７に記録する装置であるものとしている。一方、カラオケ装置１０２が備える受け側情報伝達手段１０５は、携帯型記録手段１０７に記録された音情報または音対応情報を読み取る装置であるものとしている。携帯型記録手段１０７は、携帯可能な情報記録媒体、例えばカード型記録媒体やＣＤ，ＤＶＤなど、または音情報または音対応情報が２次元バーコード化される等してプリントされた印刷物媒体、あるいは記憶装置を内蔵したモバイル端末、例えば携帯電話機やＰＤＡなどである。この場合、送り側情報伝達手段１０４は、情報処理端末１０１が備える記録部１０８に記録された編集済み音情報または編集済み音対応情報を、携帯型記録手段１０７に書き込むインターフェース１０９を有し、受け側情報伝達手段１０５は、携帯型記録手段１０７に記録された編集済み音情報または編集済み音対応情報を読み出し、カラオケ装置１０２が備える記録部１１０に書き込むインターフェース１１１を有している。
【００７４】
但し、送り側情報伝達手段１０４，受け側情報伝達手段１０５は、上記例に限定されるものではない。例えば図１６に示すように、携帯型記録手段１０７を介さず、電気信号や光信号等によるケーブルを用いた有線通信、または赤外線や電波等による無線通信により、送り側情報伝達手段１０４と受け側情報伝達手段１０５との間で、情報の送受信を直接行うようにしても良い。この場合、送り側情報伝達手段１０４は、情報処理端末１０１が備える記録部１０８に記録された編集済み音情報または編集済み音対応情報を、カラオケ装置１０２に送信する送信部１１２を有し、受け側情報伝達手段１０５は、情報処理端末１０１より送信された編集済み音情報または編集済み音対応情報を、カラオケ装置１０２が備える記録部１１０に記録する受信部１１３を有する。
【００７５】
カラオケ装置１０２の再生手段１０６は、記録部１１０から編集済み音情報または編集済み音対応情報を読み出し、音として再生する。尚、記録部１１０に記録された情報が音対応情報である場合は、すべての音対応情報を音情報に一旦変換してから再生するようにしても良く、音対応情報を逐次音情報にリアルタイムで変換しながら再生するようにしても良い。ここで、受け側情報伝達手段１０５は、図１３に示すようにカラオケ装置本体１１４に備えるようにしても良く、図１４に示すようにカラオケ用リモコン装置１１５に備えるようにしても良い。図１４に示す例の場合、カラオケ用リモコン装置１１５は、受け側情報伝達手段１０５より受け取った編集済み音情報または編集済み音対応情報の再生をカラオケ装置本体１１４に指示する通信部１１６を備え、カラオケ装置本体１１４の再生手段１０６は、通信部１１７を介して送られてくる編集済み音情報または編集済み音対応情報を音として再生する。
【００７６】
さらに、図１３に示すカラオケ装置本体１１４、または図１４に示すカラオケ用リモコン装置１１５に、受け側情報伝達手段１０５より受け取った音情報または音対応情報を更に編集可能とする第２楽曲編集手段１１８を備えるようにしても良い。この第２楽曲編集手段１１８は、例えば既述したカラオケ装置１、カラオケ用リモコン装置３０が備える楽曲編集手段と同じ機能を有する。この場合、カラオケ装置１０２が備える図示しないモニタに編集済みの楽曲情報を表示して、編集内容の確認、追加編集、編集内容の変更等を行える。
【００７７】
上記に説明したカラオケシステム１００によれば、利用者は自宅などで情報処理端末１０１を用いて楽曲編集を行い、例えば情報処理端末１０１がパーソナルコンピュータやゲーム機などであれば編集した音情報または音対応情報を携帯型記録手段１０７に記録し、この携帯型記録手段１０７を持って、或いは情報処理端末１０１が携帯電話機などのモバイル端末であれば編集した音情報または音対応情報が記録されている情報処理端末１０１を持って、例えばカラオケ装置１０２を備えたカラオケ店舗に行き、編集楽曲を再生してカラオケを楽しむことができる。このカラオケシステム１００では、利用者は、カラオケ店等でカラオケをする以前の自由な時間を使って、制限時間等に束縛されることなく、予め楽曲編集を行うことができる。また、編集加工した楽曲情報を利用者自身が所有する情報処理端末１０１または携帯型記録手段１０７に記録しておくことで、編集楽曲をいわば自分の持ちネタとして友人等に披露し、また繰り返し再現して楽しむことができる。さらに、カラオケ装置本体１１４またはカラオケ用リモコン装置１１５に第２楽曲編集手段１１８を備える場合には、編集内容の確認、追加編集、編集内容の変更等が行える。
【００７８】
次に、図１７に示すカラオケシステム１００’について説明する。このカラオケシステム１００’では、情報処理端末１０１からの要求に応じてカラオケ用楽曲の音情報または当該音情報に対応する音対応情報を編集し、編集した音情報または音対応情報を情報処理端末１０１に送信する楽曲編集サーバ１１９を有している。
【００７９】
楽曲編集サーバ１１９は、例えば、ネットワークとしてのインターネット１２を介して情報処理端末１０１と接続しており、情報処理端末１０１からの要求に応じてカラオケ用楽曲の音情報または当該音情報に対応する音対応情報を編集し且つ編集した音情報または音対応情報を情報処理端末１０１に送信するためのウェブページ並びに当該ウェブページとリンクする楽曲編集プログラムを有している。一方、情報処理端末１０１は、当該ウェブページを表示するためのブラウザ機能を備えている。この場合、楽曲編集サーバ１１９が備える上記ウェブページおよび当該ウェブページとリンクする楽曲編集プログラムにより、楽曲編集手段１２１としての既述した実施形態と同様の機能が実現される。また、楽曲編集サーバ１１９は、例えば多数の楽曲情報が蓄積された記録部１２０を有している。利用者は情報処理端末１０１を用いて楽曲編集サーバ１１９のウェブページにアクセスする。楽曲編集手段１２１は、利用者の操作に基づく情報処理端末１０１からの要求に応じて、記録部１２０から読み出したオリジナルの音情報または音対応情報を編集する。編集した音情報または音対応情報は情報処理端末１０１の記録部１０８にダウンロードされる。尚、情報処理端末１０１とカラオケ装置１０２との間の処理は、カラオケシステム１００と同じとして良い。例えば情報処理端末１０１がパーソナルコンピュータやゲーム機などであればダウンロードした編集済み音情報または編集済み音対応情報を携帯型記録手段１０７に記録し、この携帯型記録手段１０７を持って、或いは情報処理端末１０１が携帯電話機などのモバイル端末であれば編集済み音情報または編集済み音対応情報が記録されている情報処理端末１０１を持って、例えばカラオケ装置１０２を備えたカラオケ店舗に行き、編集楽曲を再生してカラオケを楽しむことができる。
【００８０】
このカラオケシステム１００’によれば、カラオケシステム１００と同じ効果に加えて、情報処理端末１０１に楽曲編集手段１０３を備える必要がなく、例えば情報処理端末１０１に楽曲編集プログラムをインストールする必要がない、といった利点が得られる。
【００８１】
次に、図１８に示すカラオケシステム１００”について説明する。このカラオケシステム１００”では、情報処理端末１０１からの要求に応じてカラオケ用楽曲の音情報または当該音情報に対応する音対応情報を編集し、編集した音情報または音対応情報を、指定された又は予め定められたカラオケ装置１０２に送信する楽曲編集サーバ１１９’を有している。
【００８２】
楽曲編集サーバ１１９’は、例えばネットワークとしてのインターネット１２を介して情報処理端末１０１およびカラオケ装置１０２に接続している。また、楽曲編集サーバ１１９’は、情報処理端末１０１からの要求に応じてカラオケ用楽曲の音情報または当該音情報に対応する音対応情報を編集するための編曲用ウェブページ並びに当該編曲用ウェブページとリンクする楽曲編集プログラムと、カラオケ装置１０２を予約するための予約用ウェブページ並びに当該予約用ウェブページとリンクして編集済み音情報または編集済み音対応情報を、予約されたカラオケ装置１０２に送信する予約プログラムを有している。情報処理端末１０１は上記ウェブページを表示するためのブラウザ機能を備えている。この場合、上記編曲用ウェブページおよび楽曲編集プログラムにより、楽曲編集手段１２１としての既述した実施形態と同様の機能が実現され、上記予約用ウェブページおよび予約プログラムにより、編集済み音情報または編集済み音対応情報を予約されたカラオケ装置１０２の記録部１１０に記録する予約手段１２２が実現される。
【００８３】
楽曲編集サーバ１１９’は、例えば多数の楽曲情報が蓄積された記録部１２０を有している。利用者は情報処理端末１０１を用いて楽曲編集サーバ１１９’のウェブページにアクセスする。楽曲編集手段１２１は、利用者の操作に基づく情報処理端末１０１からの要求に応じて、記録部１２０から読み出したオリジナルの音情報または音対応情報を編集する。また、予約手段１２２は、利用者の操作に基づく情報処理端末１０１からの要求に応じて予約されたカラオケ装置１０２の記録部１１０に、編集済み音情報または編集済み音対応情報を記録する。尚、記録部１１０への編集済み音情報または編集済み音対応情報の書き込みは、例えば予約されたカラオケ装置１０２の利用日時に行なうようにしても良く、或いは予約日当日におけるカラオケ装置１０２に対する利用者の操作に基づいて行なうようにしても良い。カラオケ装置１０２の再生手段１０６は、予約日当日におけるカラオケ装置１０２に対する利用者の操作に基づいて、記録部１１０から編集済み音情報または編集済み音対応情報を読み出し、音として再生する。
【００８４】
このカラオケシステム１００”によれば、カラオケシステム１００と同じ効果およびカラオケシステム１００’と同じ効果に加えて、カラオケ装置１０２を備えたカラオケ店舗において編集楽曲を再生してカラオケを楽しむにあたり、利用者は情報処理端末１０１や携帯型記録手段１０７を持って行く必要がない、といった利点が得られる。
【００８５】
なお、上述の実施形態は本発明の好適な実施の一例ではあるがこれに限定されるものではなく、本発明の要旨を逸脱しない範囲において種々変形実施可能である。例えば、楽曲編集プログラムはカラオケ装置１または携帯型カラオケ装置１’またはカラオケ用リモコン装置３０に常駐させておく必要は必ずしもなく、必要に応じてサーバ１３等からカラオケ装置１または携帯型カラオケ装置１’またはカラオケ用リモコン装置３０にダウンロードまたは配信するようにしても良い。また、楽曲編集プログラムにより制御装置６が実行する処理の一部又は全部をハードウェア化して、処理の高速化を図るようにしても良い。
【００８６】
また、本発明の楽曲編集プログラムをゲーム機用のソフトウェアとして、当該ゲーム機が読取可能な記録媒体、例えばＤＶＤ等に格納して提供しても良く、あるいは当該ゲーム機にネットワークを介して配信するようにしても良い。また、楽曲編集の内容は必ずしも上述した例に限定されず、例えば楽曲の選択部分に対応する音情報を順次半音上げる又は下げる或いは移調する等しても良い。
【図面の簡単な説明】
【００８７】
【図１】本発明の楽曲編集機能付きカラオケ装置の実施の一形態を示すブロック図である。
【図２】本発明の楽曲編集機能付きカラオケ装置が実行する処理の一例を示すフローチャートである。
【図３】図２の楽曲編集処理の一例を示すフローチャートである。
【図４】カラオケ装置が表示出力する選曲用画面の一例を示す図である。
【図５】カラオケ装置が表示出力する選曲用画面の他の例を示す図である。
【図６】カラオケ装置が表示出力する選曲用画面の他の例を示す図である。
【図７】カラオケ装置が表示出力する選曲用画面の他の例を示す図である。
【図８】カラオケ装置が表示出力する選曲用画面の他の例を示す図である。
【図９】カラオケ装置が表示出力する楽曲編集用画面の一例を示す図である。
【図１０】図９の画面において楽曲編集操作が行なわれている様子を示す図である。
【図１１】本発明の楽曲編集機能付きカラオケ装置の他の実施形態の一例を示すブロック図である。
【図１２】本発明の楽曲編集機能付きカラオケ用リモコン装置の実施の一形態を示すブロック図である。
【図１３】本発明のカラオケシステムの実施の一形態を示し、当該システムの構築に用いる情報処理端末、カラオケ装置の構成例を示す概略ブロック図である。
【図１４】本発明のカラオケシステムの他の実施形態を示し、当該システムの構築に用いる情報処理端末、カラオケ装置、カラオケ用リモコン装置の他の構成例を示す概略ブロック図である。
【図１５】本発明に係る送り側情報伝達手段および受け側情報伝達手段の構成例を示す概略ブロック図である。
【図１６】本発明に係る送り側情報伝達手段および受け側情報伝達手段の他の構成例を示す概略ブロック図である。
【図１７】本発明のカラオケシステムの更に他の実施形態を示し、楽曲編集サーバの構成例を示す概略ブロック図である。
【図１８】本発明のカラオケシステムの更に他の実施形態を示し、楽曲編集サーバの他の構成例を示す概略ブロック図である。
【符号の説明】
【００８８】
１  楽曲編集機能付きカラオケ装置
２  操作部
３  記録部
４  再生装置（再生手段）
５  映像出力部
【図１】
2005208117.tif 000003
【図２】
2005208117.tif 000004
【図３】
2005208117.tif 000005
【図４】
2005208117.tif 000006
【図５】
2005208117.tif 000007
【図６】
2005208117.tif 000008
【図７】
2005208117.tif 000009
【図８】
2005208117.tif 000010
【図９】
2005208117.tif 000011
【図１０】
2005208117.tif 000012
【図１１】
2005208117.tif 000013
【図１２】
2005208117.tif 000014
【図１３】
2005208117.tif 000015
【図１４】
2005208117.tif 000016
【図１５】
2005208117.tif 000017
【図１６】
2005208117.tif 000018
【図１７】
2005208117.tif 000019
【図１８】
2005208117.tif 000020